(57)【要約】【構成】コンテンツ管理装置１０は、ネットワーク１４を介して接続される配信サーバ１６から音楽データをダウンロードしたり、ＣＤ１８に記録された楽曲をリッピングして音楽データを取得したり、ＨＤＤ２０のような記録メディアから音楽データを取得したりできる。取得した音楽データは、コンテンツ管理装置１０に接続される携帯型の音楽記録再生装置（ＰＤ）２２に転送することができる。音楽データの取込、転送や削除などのすべての履歴がハードディスク１０ａに記録され、ユーザの指示に従って当該履歴はディスプレイ１２に表示される。【効果】音楽データなどのコンテンツの管理が非常に簡単である。【選択図】　図１
2004127159.tif 000002
【特許請求の範囲】
【請求項１】
複製可能回数の規定されたコンテンツを管理するコンテンツ管理装置において、
前記コンテンツの複製を他の機器に放出する回数および前記コンテンツの複製を前記他の機器から返送する回数をカウントするカウント手段、
前記コンテンツの転送に先立って前記カウント手段のカウント結果と前記複製可能回数とに基づいて前記コンテンツの複製が可能かどうかを判断する判断手段、
前記判断手段によって前記コンテンツの複製が不能であると判断されたとき前記コンテンツの複製不能を警告する警告手段、
前記判断手段によって前記コンテンツの複製が可能であると判断されたとき前記コンンテンツの複製を前記他の機器に送出する送出手段、および
前記コンテンツの複製履歴を作成する作成手段を備えることを特徴とする、コンテンツ管理装置。
【請求項２】
前記カウント手段は、前記コンテンツの複製が他の機器に送出される毎に前記複製可能回数をディクリメントするディクリメント手段、および前記コンテンツの複製が他の機器から返送される毎に前記複製可能回数をインクリメントするインクリメント手段を含み、
前記判断手段は、前記複製可能回数が０のとき前記コンテンツの複製が不能であると判断し、前記複製可能回数が１以上のとき前記コンテンツの複製が可能であると判断する、請求項１記載のコンテンツ管理装置。
【請求項３】
前記カウント手段は、前記コンテンツの複製が他の機器に送出される送信回数を加算する送信回数加算手段、および前記コンテンツの複製が他の機器から返送される返送回数を加算する返送回数加算手段を含み、
前記判断手段は、前記放出回数から前記返送回数を減算した結果が前記複製可能回数と一致するとき前記コンテンツの複製が不能であると判断し、前記減算した結果が前記複製可能回数と一致しないとき前記コンテンツの複製が可能であると判断する、請求項１記載のコンテンツ管理装置。
【請求項４】
前記複製履歴を形成する各々の項目は、前記コンテンツの複製の送出／返送を識別する識別情報、および前記コンテンツの複製が移動した後の複製可能回数を示す複製可能回数情報を含む、請求項１ないし３のいずれかに記載のコンテンツ管理装置。
【請求項５】
前記複製履歴を形成する各々の項目は、前記コンテンツの複製の移動先を示す移動先情報をさらに含む、請求項１ないし４のいずれかに記載のコンテンツ管理装置。
【請求項６】
履歴出力指示を受け付ける出力受付手段、および
前記履歴出力指示を前記出力受付手段によって受け付けたとき前記複製履歴を出力する出力手段をさらに備える、請求項１ないし５のいずれかに記載のコンテンツ管理装置。
【発明の詳細な説明】
【０００１】
【産業上の利用分野】
この発明はコンテンツ管理装置に関し、特にたとえば複製可能回数が規定された音楽、画像などのコンテンツを管理する、コンテンツ管理装置に関する。
【０００２】
【従来の技術】
従来のこの種のコンテンツ管理装置の一例が特許文献１に開示される。このデジタルコンテンツの入出力情報管理システムでは、コンテンツは、ＫＩＯＳＫ端末から利用機器へ、コンテンツサーバからコンピュータネットワークを介して携帯端末またはパーソナルコンピュータへ配信される。また、利用機器または携帯端末とパーソナルコンピュータとの間でもコンテンツを伝送することが可能である。このような管理システムでは、コンテンツを識別するためのＩＤ（コンテンツＩＤ）、コンテンツを取得した機器またはメディアを識別するためのＩＤ（メディア／機器ＩＤ）およびコンテンツを入力したのか出力したのかを区別するフラグ（チェックイン／アウトフラグ）をそれぞれのコンテンツについて管理するようにしてある。具体的には、このようなチェックイン／チェックアウト情報をＩＣカードの耐タンパ領域に記録することにより、チェックイン／チェックアウト情報へのアクセスがロケーションフリーになるので、ＩＣカードリードライタを具備し、かつ、チェックイン／チェックアウト管理用ソフトがインストールされている全ての端末をコンテンツ蓄積・管理端末として使用していた。
【０００３】
【特許文献１】
特開２００２−７２６３号（第６頁〜第９頁，第６図〜第１０図）
【０００４】
【発明が解決しようとする課題】
しかし、この従来技術では、各コンテンツを機器間で伝送した場合における各コンテンツについての現在の（最新の）チェックイン／チェックアウト情報を知ることができるが、過去の記録（ログ）を知ることができなかった。また、この従来技術では、１のコンテンツについて最新のチェックイン／チェックアウト情報を管理するようにしてあるため、当該１のコンテンツを複数の機器に転送したい場合には、機器の数に応じて同じコンテンツを複数所有する必要があり、コンテンツ蓄積・管理端末の記録媒体の容量を圧迫してしまうという問題があった。
【０００５】
それゆえに、この発明の主たる目的は、必要最小限の記録容量でコンテンツを適切に管理できる、コンテンツ管理装置を提供することである。
【０００６】
【課題を解決するための手段】
この発明は、複製可能回数の規定されたコンテンツを管理するコンテンツ管理装置において、コンテンツの複製を他の機器に放出する回数およびコンテンツの複製を他の機器から返送する回数をカウントするカウント手段、コンテンツの転送に先立ってカウント手段のカウント結果と複製可能回数とに基づいてコンテンツの複製が可能かどうかを判断する判断手段、判断手段によってコンテンツの複製が不能であると判断されたときコンテンツの複製不能を警告する警告手段、判断手段によってコンテンツの複製が可能であると判断されたときコンンテンツの複製を他の機器に送出する送出手段、およびコンテンツの複製履歴を作成する作成手段を備えることを特徴とする、コンテンツ管理装置である。
【０００７】
【作用】
音楽、画像などのコンテンツの複製が他の機器に放出される回数およびコンテンツの複製が他の機器から返送される回数がカウント手段によってカウントされる。コンテンツの複製の放出に先立って、カウント手段のカウント結果とコンテンツ毎に規定される複製可能回数とに基づいて当該コンテンツの複製が可能かどうかが判断される。当該コンテンツの複製が不能であると判断されたときには、コンテンツの複製不能が警告される。一方、当該コンテンツの複製が可能であると判断されたときには、転送指示された他の機器に当該コンンテンツの複製が送出される。このような複製履歴は、コンテンツ毎に作成される。
【０００８】
たとえば、コンテンツの複製が他の機器に送出される毎に複製可能回数はディクリメントされる。一方、コンテンツの複製が他の機器から返送される毎に複製可能回数はインクリメントされる。複製可能回数が０である場合には、複製不可であると判断されるが、複製可能回数が１以上である場合には、複製可能であると判断される。
【０００９】
また、コンテンツの放出回数および返送回数を加算しておき、放出回数と返送回数とに基づいて、コンテンツの転送（放出）が可能かどうかを判断することもできる。つまり、放出する所望のコンテンツについての最新の複製履歴から放出回数および返送回数を取得し、放出回数から返送回数を減算する。そして、減算した結果が複製可能回数と一致する場合には、当該コンテンツは既に複製可能回数だけ複製されているため、複製不可であると判断する。一方、減算した結果が複製可能回数と一致しない場合には、すなわち複製可能回数＞減算した結果で有る場合には、当該コンテンツの複製回数が複製可能回数に達していないため、複製可能であると判断する。このようにして、
さらに、コンテンツの複製の送出／返送についての識別情報やコンテンツの複製が移動（送出／返送）した後の複製可能回数を示す複製可能回数情報を複製履歴に残すので、コンテンツの移動状況や複製可能回数を容易に知ることができる。
【００１０】
また、コンテンツの移動先の機器を示す移動先情報を履歴に残すようにするので、現在コンテンツを所有する機器を容易に知ることができる。
【００１１】
たとえば、出力受付手段によって履歴出力指示が受け付けられると、出力手段が複製履歴を出力（可視表示）すれば、コンテンツのやり取り、移動先や複製可能回数（または放出回数／返送回数）が一目で分かる。
【００１２】
【発明の効果】
この発明によれば、各コンテンツについての複製可能回数を管理するので、各コンテンツを１つずつ所有すればよい。したがって、コンテンツの記録媒体の容量を無駄に使用することがない。また、複製可能回数や移動先についての履歴を出力するので、コンテンツを適切に管理することができる。
【００１３】
この発明の上述の目的，その他の目的，特徴および利点は、図面を参照して行う以下の実施例の詳細な説明から一層明らかとなろう。
【００１４】
【実施例】
図１を参照して、この実施例のコンテンツ管理装置（以下、単に「管理装置」という。）１０は、パーソナルコンピュータ（ＰＣ）或いはワークステーションのようなコンピュータである。管理装置１０には、ＣＲＴ或いは液晶のディスプレイ１２が接続される。また、管理装置１０は、電話網（携帯電話網を含む。）やインターネットのようなネットワーク１４を介してコンテンツデータ（この実施例では、音楽データ）を配信する配信サーバ１６に通信可能に接続される。
【００１５】
また、管理装置１０には、ＣＤ１８のような外部記録媒体の装着が可能であり、ハードディスクドライブ（ＨＤＤ）２０のような記録メディアも接続可能である。さらに、管理装置１０には、たとえばＵＳＢケーブルを用いて音楽記録再生装置としての携帯ディジタルメモリプレイヤ（以下、「ＰＤ」という。）２２が接続可能である。
【００１６】
図示は省略するが、ユーザが管理装置１０に接続されるキーボードやコンピュータマウスなどの入力装置を操作することにより、配信サーバ１６から音楽データをダウンロードしたり、管理装置１０に装着されたＣＤ１８に記録された楽曲をリッピングして音楽データを取得したり、または、ＨＤＤ２０から音楽データを取得したりすることができる。このように、ダウンロード等された音楽データは、管理装置１０に設けられるハードディスク１０ａに記録される。
【００１７】
このような音楽データは、この実施例では、ＭＰ３，ＷＭＡ（Ｗｉｎｄｏｗｓ　Ｍｅｄｉａ　（登録商標）Ａｕｄｉｏ）或いはＡＡＣのような任意の圧縮フォーマットに従って圧縮・変調（エンコード）される。
【００１８】
なお、ＣＤ１８に記録された楽曲に対応するデータは、管理装置１０が専用のソフトを利用して、標準オーディオファイルであるＷＡＶファイルに変換され、管理装置１０のハードディスク１０ａにコピーされる。これをリッピングという。次いで、ＷＡＶファイルはＭＰ３のような圧縮フォーマットに従ってエンコードされる。ただし、リッピングからエンコードまでを一度に実行できるソフトも存在する。
【００１９】
さらに、管理装置１０のハードディスク１０ａに記録された音楽データは、ＰＤ２２に転送（複製）できる。ＰＤ２２は、図２に示すように、たとえばセキュアマルチメディアカードのようなメモリカード３０を含み、このメモリカード３０はＰＤ２２に着脱可能（着脱自在）に設けられる。メモリカード３０は、ＰＤ２２に設けられるスロット３２に装着され、メモリインターフェイス（Ｉ／Ｆ）３４を介してＣＰＵ３６に接続される。
【００２０】
なお、この実施例では、ＰＤ２２に着脱可能なメモリカード３０を用いるようにしてあるが、このような記録媒体は内蔵されるようにしてもよい。
【００２１】
メモリカード３０には、音楽データが圧縮された状態で複数楽曲分記録される。上述したように、音楽データは、それぞれＭＰ３などの任意のフォーマットに従って圧縮され、かつ任意の圧縮率（ビットレート）で圧縮されている。また、このメモリカード３０には、それぞれの音楽データを伸長（復調）するためのデコードソフト（復号プログラム）も併せて記録される。
【００２２】
また、ＣＰＵ３６には、操作キー３８が接続され、この操作キー３８を操作することにより、モードを切り換えたり、メニューを選択したり、記録（録音）、再生、停止、送り（ＦＦ）、戻し（ＲＷ）および音量調整などの指示を入力したりすることができる。
【００２３】
また、ＣＰＵ３６には、外部Ｉ／Ｆ４０を介してＵＳＢ端子４２が接続される。このＵＳＢ端子４２には、上述したように、ＰＣすなわち管理装置１０などを接続することができる。したがって、上述したように、管理装置１０で取得（ダウンロード）した音楽データの複製（コピー）を、ＵＳＢ端子４２および外部Ｉ／Ｆ４０を介してＣＰＵ３６に与えることができる。その後、ＣＰＵ３６は、音楽データおよびそのデコードソフトをメモリカード３０に記録する。
【００２４】
さらに、ＣＰＵ３６には、ドライバ（図示せず）を介して液晶のディスプレイ４４が接続される。ディスプレイ４４には、現在時刻（カレンダー）、現在のモード、再生時や記録（録音）時における動作状態（再生、録音、停止、ＦＦ或いはＲＷ等）、電池残量、音量、再生リストおよび再生中の楽曲名とそれに関連する情報（たとえば、アーティスト名やアルバム名）などが表示される。
【００２５】
ここで、再生リストとは、メモリカード３０に記憶された音楽データの楽曲名（タイトル）およびアーティスト名を再生する順序で表示した一覧表をいう。つまり、再生リストでは、タイトルに対応してそのアーティスト名が記述され、それぞれの楽曲に対して番号が付されている。通常、この番号に従う順序で音楽データは再生される。このような再生リストのデータは、ＣＰＵ３６に接続されるＥＥＰＲＯＭ４６に記録される。
【００２６】
たとえば、ユーザが操作キー３８に含まれるモードキーを操作することにより、録音／再生する楽曲の音質を設定したり、ディスプレイ４４の表示方法を設定したりすることができる。このとき、ユーザは、ディスプレイ４４の表示を見て、どのような設定がなされているか（現在のモード）を判断することができる。また、設定に際しては、操作キー４４に含まれるジョグダイヤルやボリュームキーなどの各種キー（図示せず）が操作される。
【００２７】
音楽を再生する場合には、上述したような再生リストおよび楽曲を選択するためのカーソルがディスプレイ４４に表示される。なお、ディスプレイ４４の表示画面の大きさにもよるが、再生リストは多数の楽曲を含むため、その一部がディスプレイ４４に表示され、他の部分はスクロールすることにより、ディスプレイ４４に表示される。
【００２８】
ここで、ユーザが操作キー３８に含まれるジョグダイヤルをいずれか一方に回転すると、カーソルがディスプレイ４４の画面上を上下にスクロールされ、したがって、所望の楽曲を選択することができる。次いで、ジョグダイヤルが押される（オンされる）と、つまり再生指示が入力されると、カーソルが指す楽曲の再生処理が開始される。
【００２９】
具体的には、再生を指示された楽曲に対応する音楽データをメモリカード３０から読み出すとともに、当該音楽データのデコードソフトを読み出して、ＤＳＰ４８に与える。そして、再生指示をＤＳＰ４８に与える。
【００３０】
すると、ＤＳＰ４８が、デコードソフトを用いて音楽データをＭＰ３フォーマットなどの所定のフォーマットに従ってデコード（伸長）する。デコードされた音楽データは、Ｄ／Ａ変換器５０でアナログの音楽信号に変換される。そして、変換後の音楽信号は、オーディオアンプ（ＡＭＰ）５２によって増幅された後、出力端子（ジャック端子）５４からヘッドフォン５６に入力される。これにより、ユーザは、再生指示した（所望の）楽曲を聞くことができる。
【００３１】
なお、音楽データの再生中では、ジョグダイヤルが一方向に回転されると、早送り再生されたり、次の楽曲に送られたりする。一方、ジョグダイヤルが逆の方向に回転されると、巻き戻し再生されたり、前の楽曲に戻ったりする。さらに、操作キー３８に含まれる音量キーを操作することにより、再生中の楽曲の音量を小さくしたり、大きくしたりすることもできる。そして、操作キー３８に含まれる停止キーを操作すると、楽曲の再生を停止（終了）することができる。
【００３２】
ただし、楽曲の再生を終了しない場合には、ユーザが再生指示した楽曲の再生を終了すると、再生リストが示す次の楽曲の再生処理を実行する。
【００３３】
このように、管理装置１０に備えられた複数の機能（取込機能）のいずれかによって取得された音楽データをＰＤ２２に転送（放出）してメモリカード３０に記録することができ、このＰＤ２２において、メモリカード３０から音楽データを再生することができる。ただし、ＰＤ２２は１つ（１台）に限らず、異なる他のＰＤが接続される場合もある。また、ＰＤ２２に装着されたメモリカード３０は着脱可能であるため、ユーザはそのようなメモリカード３０を複数枚所有する場合もある。
【００３４】
したがって、何ら手当てを施さない場合には、管理装置１０では、ハードディスク１０ａに記録された音楽データの内容を知ることができるに留まり、どこから（どの機能を用いて）取得した音楽データであるか、音楽データがどの機器すなわちメディア（この実施例では、ＰＤ２２やメモリカード３０）に記録（転送）されているか、音楽データがＰＣ上で既に削除されたか、或いは音楽データを未だ取得していないかなどを容易に知ることができない。たとえば、この実施例のＰＤ２２では、メモリカード３０を差し替えるなどして、所望の楽曲（音楽データ）を探す必要があり、音楽データ（コンテンツ）の管理が非常に面倒である。
【００３５】
そこで、この実施例では、管理装置１０で、図３に示すような管理情報（全履歴）をハードディスク１０ａに記録しておき、各々の楽曲（音楽データ）を管理するようにしてある。具体的には、図３に示すように、全履歴のリストには、音楽データのタイトル（楽曲名）、アーティスト名、取込先、転送／削除（転送フラグ／削除フラグ）、日付、メディアＩＤ、コンテンツＩＤ、Ｃｏｄｅｃ（フォーマット形式）、ＴＳ（転送可能回数）、ＯＫ（転送識別フラグ）および保存先が記述される。
【００３６】
取込先の欄には、４バイトのデータ（取込先フラグ）が記述され、この実施例では、取込先フラグが“０ｘ０１”であれば、ネットワーク１４に接続される配信サーバ１６からダウンロードした音楽データであることを示す。また、取込先フラグが“０ｘ０２”であれば、ＣＤ１８の楽曲をリッピングして取得した音楽データであることを示す。さらに、取込先フラグが“０ｘ０３”であれば、ＨＤＤ２０から取得した音楽データであることを示す。
【００３７】
なお、この実施例では、配信サーバ、ＣＤおよびＨＤＤがそれぞれ１つ設けられる場合について説明してあるが、配信サーバ、ＣＤおよびＨＤＤ（記録メディア）は、それぞれ複数設けるようにしてもよい。この場合には、それぞれの取込先を区別する必要があるため、互いに異なる取込先フラグが記述される。たとえば、配信サーバが複数設けられる場合には、取込先フラグを“０ｘｎ１”（ｎは０以上の整数）として、ｎを変えることにより、配信サーバを区別するようにすればよい。つまり、最下位バイトで、配信サーバ、ＣＤ或いはＨＤＤを区別し、すなわちカテゴリを区別し、最下位バイトの前のバイト（右から２番目のバイト）で、同一カテゴリ内における取込先が区別される。さらに、このような場合には、取込先名（たとえば、サイト名やＣＤのアルバム名など）を記述するようにして、容易に取込先を識別できるようにしてもよい。
【００３８】
また、転送／削除の欄には、４バイトのデータ（転送／削除フラグ）が記述され、この実施例では、転送／削除フラグが“０ｘ００”であれば、音楽データが他の機器や記録メディアに未だ転送されていないことを示す。また、転送／削除フラグが“０ｘ０１”であれば、音楽データが他の機器すなわちＰＤ２２に転送（出力）されたことを示す。さらに、転送／削除フラグが“０ｘ０２”であれば、音楽データがＰＤ２２から戻された（転送された）ことを示す。さらにまた、転送／削除フラグが“０ｘ０３”であれば、音楽データが削除されたことを示す。
【００３９】
ただし、この実施例では、後述するように、音楽データの転送を失敗した場合であっても、その履歴を記録するようにしているため、この場合にも転送／削除フラグ“０ｘ０１”または“０ｘ０２”が記述される。
【００４０】
日付の欄には、管理装置１０に音楽データを取り込んだ日付、音楽データをＰＤ２２に転送した日付、音楽データをＰＤ２２から取得した日付、或いは音楽データを削除した日付が記述され、図３に示すように、８桁の数で示される。具体的には、最初の（左側の）４桁が西暦を示し、次の２桁が月を示し、そして、最後の（右側の）２桁が日を示している。たとえば、日付の欄に“２００１１２０１”が記述されている場合には、西暦２００１年１２月１日を意味する。
【００４１】
メディアＩＤの欄には、音楽データが記録される記録媒体を識別する６バイトのデータ（メディア識別情報）が記述され、この実施例では、メディア識別情報が“０ｘ００００”であれば、音楽データが管理装置１０のハードディスク１０ａにのみ記録（保存）されていることを示す。また、メディア識別情報が“０ｘ０００１”であれば、音楽データがハードディスク１０ａ以外にＰＤ２２に装着された１のメモリカード３０に記録されていることを示す。ただし、ユーザが複数のメモリカード３０を所有する場合には、各メモリカード３０に異なるメディア識別情報が割り当てられる。つまり、図３に示すように、メディア識別情報が“０ｘ０００２”であれば、音楽データがハードディスク１０ａ以外にＰＤ２２に装着された他の異なるメモリカード３０に記録されていることを示す。
【００４２】
なお、この実施例では、メディア識別情報によってＰＤ２２に装着されるメモリカード３０を識別するようにしてあるが、複数のＰＤ２２を所有する場合には、それらを識別するようにしてもよい。または、ＰＤ２２およびメモリカード３０の両方を識別可能にしてもよい。
【００４３】
コンテンツＩＤの欄には、６バイトのデータすなわち各音楽データの固有の識別情報が記述され、この識別情報（コンテンツＩＤ）は、音楽データを取得（ダウンロード）する毎に各音楽データに対して割り当てられる。この実施例では、楽曲Ａには“０ｘ０００１”が割り当てられ、楽曲Ｂには“０ｘ０００２”が割り当てられ、楽曲Ｃには“０ｘ０００３”が割り当てられ、楽曲Ｄには“０ｘ０００４”が割り当てられ、そして、楽曲Ｅには“０ｘ０００５”が割り当てられる。
【００４４】
Ｃｏｄｅｃ（フォーマット形式）の欄には、音楽データの圧縮フォーマットが記述され、この実施例では、上述のような圧縮フォーマットすなわちＭＰ３、ＷＭＡ或いはＡＡＣが記述される。
【００４５】
ＴＳ（転送可能回数）の欄には、音楽データの転送（複製）可能な回数が記述される。つまり、音楽データなどのコンテンツデータは、著作権を保護するため、自由（無制限）な複製は許されていない。したがって、同じ音楽データを異なる複数のＰＤ２２等に転送したい場合には、転送したいＰＤ２２等の数に応じた数だけ同じ音楽データを所有する必要がある。しかし、これでは、ハードディスク１０ａの容量を無駄に使用してしまうので、この実施例では、各音楽データについての転送可能回数（複製可能回数）を管理するようにしてある。
【００４６】
たとえば、配信サーバ１６から音楽データをダウンロードする場合には、購入時に転送可能な回数が決定される。また、ＣＤ１８やＨＤＤ２０から音楽データを取得する場合には、管理装置１０で実行される専用ソフトによって、音楽データの取得時に転送可能な回数（この実施例では、３回）が決定される。したがって、音楽データをＰＤ２２に転送すると、ＴＳは１減らされ（デクリメント）、逆に音楽データをＰＤ２２から取得する（戻される）と、ＴＳは１増やされる（インクリメント）。
【００４７】
なお、ＰＤ２２において、音楽データが削除された場合にも、ＴＳはインクリメントされる。
【００４８】
ＯＫの欄には、３バイトのデータ（転送識別フラグ）が記述され、この転送識別フラグが“０ｘ０”（以下、「転送成功フラグ」と呼ぶ。）であれば、転送が成功したことを示す。また、転送識別フラグが“０ｘ１”（以下、「転送失敗フラグ」と呼ぶ。）であれば、転送が失敗したことを示す。
【００４９】
保存先の欄には、ダウンロード等により取得した元の（オリジナルの）音楽データの保存（記録）場所が記述される。この実施例では、音楽データは、管理装置１０すなわちＰＣのハードディスク１０ａのＣドライブ（Ｃ：￥）に記録されるため、その場所が記述される。ただし、ＰＣ上で音楽データが削除された場合には、当該音楽データはハードディスク１０ａに存在しなくなるため、保存先の欄は空白（ブランク）にされる。
【００５０】
この図３は、ユーザが管理装置１０のハードディスクに記録（インストール）される管理用のソフト（管理ソフト）を起動し、その操作画面（図４参照）において、入力装置を操作することにより、楽曲を取得（ダウンロード）したり、楽曲を転送したり、楽曲を削除したりしたすべての履歴である。
【００５１】
具体的には、楽曲Ａ、楽曲Ｂ、楽曲Ｃの順でダウンロード等した後に、楽曲ＡをＰＤ２２（１の（第１の）メモリカード３０）に転送し、楽曲ＢをＰＤ２２（別の（第２の）メモリカード３０）に転送している。その後、楽曲Ｄをダウンロードして、楽曲Ｄの順番を並べ替えて（ソートして）いる。そして、楽曲ＤをＰＤ２２（第１のメモリカード３０）に転送してから、１月後に、ＰＤ２２（第１のメモリカード３０）から楽曲Ｄを取得している。さらに、楽曲ＣをＰＣ（管理装置１０）上から削除している。その後、楽曲Ｅをダウンロードし、楽曲ＥをＰＤ２２に転送したが、その転送に失敗している。
【００５２】
上述したように、ユーザが管理装置１０を操作して、音楽データの管理ソフトを起動すると、図４に示すような操作画面６０が表示される。この操作画面６０には、その上部に“購入”、“ＣＤ”および“取込”がそれぞれ記述されたボタン６２ａ〜６２ｃが表示される。
【００５３】
たとえば、ボタン６２ａがオン（クリック）されると、図示は省略するが、管理装置１０にインストールされたブラウザが起動し、配信サーバ１６が提供するインターネットサイト（この実施例では、配信サーバ１６が提供するサイト）に接続される。ユーザは、当該サイトにおいて所望の楽曲の購入処理等を実行すると、当該楽曲に対応する音楽データをダウンロードすることができる。ダウンロードされた音楽データは、管理装置１０に取り込まれ、ハードディスク１０ａに記録される。
【００５４】
なお、音楽データをインターネット上からダウンロードする方法等は、既に周知であるため、ここでは詳細な説明は省略することにする。
【００５５】
また、管理装置１０にＣＤ１８が装着されている場合に、ボタン６２ｂがオンされると、図示は省略するが、ＣＤ１８に記録された楽曲のタイトルが一覧表示され、ユーザが指定した楽曲がリッピングおよびエンコードされ、ハードディスク１０ａに記録される。
【００５６】
さらに、ＨＤＤ２０が接続されている場合に、ボタン６２ｃがオンされると、図示は省略するが、ＨＤＤ２０に記録された楽曲が一覧表示され、ユーザが指定した楽曲に対応する音楽データが管理装置１０に取り込まれ、ハードディスク１０ａに記録される。
【００５７】
このように、管理装置１０は、ユーザの指示に従って、複数の（この実施例では、３つの）機能のいずれかによって、所望の音楽データを取得することができる。
【００５８】
また、ボタン６２ａ〜６２ｃの下部には、リスト一覧６４ａ、ＰＣ楽曲データ一覧６４ｂおよびＰＤ楽曲データ一覧６４ｃが表示される。リスト一覧６４ａでは、全楽曲一覧或いは履歴一覧を選択することができ、さらに履歴一覧では全履歴一覧、取込分類、メディア分類、削除／失敗或いはコンテンツなどを選択することができる。
【００５９】
リスト一覧６４ａで全楽曲一覧が選択されると、図４に示すように、ＰＣ楽曲データ一覧６４ｂおよびＰＤ楽曲データ一覧６４ｃに楽曲のタイトルおよびアーティスト名が表示される。ただし、このとき、ＰＤ楽曲データ一覧６４ｃに表示される楽曲は、現在管理装置１０に接続されているＰＤ２２に装着されたメモリカード３０に記録される音楽データ（楽曲）である。
【００６０】
リスト一覧６４ａで履歴一覧の全履歴一覧が選択されると、図３に示した全履歴のリストがそのまま表示される。なお、この全履歴一覧において、履歴のソートを実行することができる。また、リスト一覧６４ａで取込分類が選択されると、図５に示すような取込分類のリストが表示される。この取込分類のリストは、図３に示した全履歴のリストに含まれる取込先フラグに基づいて作成される。つまり、同じ取込先フラグの楽曲が１つのまとまりで表示される。また、取込分類のリストに記述されるメディア名は、ユーザが付けた記録メディアの名前であり、たとえば、メモリカード３０をフォーマット等したときにボリュームラベルとして記述される。このメディア名は、図３に示した全履歴のリストには含まれないが、メディアＩＤに対応して別途ハードディスク１０ａに記録される。ただし、全履歴のリストに記述するようにしてもよい。一方、このメディア名を記載したレーベルをメモリカード３０に貼り付けるようにすれば、メモリカード３０を容易に識別することができる。
【００６１】
ただし、この実施例では、ハードディスク１０ａのボリュームラベルには、何も記載されていないものとする。したがって、ハードディスク１０ａのみに記録されている音楽データについては、メディア名の欄を空白（ブランク）にしてある。
【００６２】
また、図５においては、ユーザが２つのメモリカード３０を所有している場合について示してある。一方のメモリカード３０にはメディアＩＤ“０ｘ０００１”が割り当てられ、他方のメモリカード３０にはメディアＩＤ“０ｘ００２”が割り当てられる。そして、ユーザが２つのメモリカード３０をそれぞれフォーマットするときに、たとえば、一方のメモリカード３０のボリュームラベルに“Ｂｅｓｔ　Ａｌｂｕｍ”と記述し、他方のメモリカード３０のボリュームラベルに“Ｂｅｓｔ　Ｈｉｔ”と記述したものとする。
【００６３】
この図５から分かるように、楽曲Ａおよび楽曲Ｄは、配信サーバ１６からダウンロードした音楽データであるため、すなわち取込先フラグが“０ｘ０１”であるため、それらがまとめて連続的に記述される。ただし、楽曲Ａは、ダウンロードされた後、管理装置１０からＰＤ２２に転送されるため、転送された時の履歴すなわち最新の履歴が記述される。また、楽曲Ｄは、図３に示したように、ダウンロードされた後、管理装置１０からＰＤ２２に転送され、さらに、ＰＤ２２から管理装置１０に戻され（返送され）たため、その最新の履歴が表示される。つまり、取込分類のリストでは、同じコンテンツＩＤの楽曲については、最新の履歴（Ｎｏの数が最大のもの）のみが表示される。
【００６４】
なお、この実施例では、同じ取込先フラグについては、日付が古い順に表示されるようにしてあるが、日付が新しい順に表示されるようにしてもよい。
【００６５】
また、楽曲Ａおよび楽曲Ｄのまとまりに続いて、楽曲Ｂが記述される。この楽曲ＢはＣＤ１８に記録された楽曲をリッピングして取得した音楽データである。ただし、楽曲Ｂは、図３に示したように、リッピングにより取得された後、ＰＤ２２に転送されたため、その最新の履歴が表示される。
【００６６】
さらに、楽曲Ｂに続いて楽曲Ｅが記述される。この楽曲ＥはＨＤＤ２０から取得した音楽データである。ただし、楽曲Ｅは、図３に示したように、ＨＤＤ２０から取得された後、ＰＤ２２に転送したが、転送に失敗しているため、その最新の履歴が表示される。
【００６７】
なお、楽曲Ｃは、ＨＤＤ２０から取得された後、ＰＣ上で削除されたため、取込分類のリストには表示されない。
【００６８】
また、図面の都合上、表現することができないが、同じ取込先フラグの音楽データの履歴については、背景を同じ色で表示して、他の取込先フラグの音楽データの履歴と色分けするようにすれば、取込先（取込機能）毎の分類をさらに容易に見分けることができる。或いは、同じ背景の色で、その輝度を変化させるようにしてもよい。
【００６９】
このような取込分類のリストを表示することにより、音楽データをどこから取得したか、或いは、どの機能を用いて取得したかを容易に知ることができる。
【００７０】
図４に戻って、リスト一覧６４ａでメディア分類が選択されると、図６に示すようなメディア分類のリストが表示される。このメディア分類のリストもまた、図３に示した全履歴のリストのメディアＩＤに基づいて作成される。つまり、メディアＩＤが同じ楽曲が１つのまとまりで表示される。このメディア分類のリストでは、同じメディアＩＤの楽曲について、Ｎｏが小さい順で表示される。また、図３に示した全履歴のリストにおいて、コンテンツＩＤが同じ楽曲については、最新の履歴のみがメディア分類のリストの表示に用いられる。
【００７１】
なお、メディア分類のリストでは、図３に示した全履歴のリストでは省略したＮｏ１１より後に管理装置１０で取得され、メモリカード３０に転送された音楽データすなわち楽曲Ｆ〜楽曲Ｌについても示してある。
【００７２】
図６からもよく分かるように、一方のメモリカード３０（メディアＩＤ“０ｘ０００１”，ボリュームラベル“Ｂｅｓｔ　Ａｌｂｕｍ”）には楽曲Ａ、楽曲Ｆ、楽曲Ｇ、楽曲Ｉおよび楽曲Ｌの音楽データが記録され、他方のメモリカード３０（メディアＩＤ“０ｘ０００２”，ボリュームラベル“Ｂｅｓｔ　ＨＩＴ”）には楽曲Ｂ、楽曲Ｈ、楽曲Ｊおよび楽曲Ｋの音楽データが記録される。
【００７３】
このようなメディア分類のリストを表示することにより、メモリカード３０に記録されている楽曲を容易に知ることができ、また、所望の楽曲がどのメモリカード３０に記録されているかを簡単に調べることができる。
【００７４】
なお、上述したように、各メモリカード３０に記録される楽曲のまとまりで、背景の色や背景の色の輝度を変えることにより、視覚的に分かり易く表示するようにしてもよい。
【００７５】
図４に戻って、リスト一覧６４ａで削除／失敗が選択されると、図７に示すような削除／失敗履歴のリストが表示される。このような削除／失敗履歴のリストは、図３に示した全履歴のリストの転送／削除フラグおよびＯＫ（転送識別フラグ）に基づいて作成される。つまり、図３に示した全履歴のリストにおいて、転送／削除フラグが“０ｘ０３”である履歴および転送識別フラグが“０ｘ１”である履歴を抽出して、削除／失敗履歴のリストが表示される。この削除／失敗履歴のリストでは、同じ楽曲については、Ｎｏの数が最大の履歴すなわち最新の履歴のみが表示され、楽曲が削除されたときの履歴および楽曲の転送を失敗したときの履歴が表示される。したがって、この実施例では、図７に示すように、楽曲Ｃが削除されたときの履歴および楽曲Ｅの音楽データについてＰＤ２２への転送を失敗したときの履歴が表示される。
【００７６】
図示は省略するが、転送／削除フラグが“０ｘ００”であり、転送識別フラグが“０ｘ１”である場合には、管理装置１０で配信サーバ１６、ＣＤ１８或いはＨＤＤ２０から音楽データを取得することに失敗したことを意味する。また、転送／削除フラグが“０ｘ０２”であり、転送識別フラグが“０ｘ１”である場合には、ＰＤ２２から音楽データを取得（転送）することに失敗したことを意味する。
【００７７】
このような削除／失敗履歴のリストを表示することにより、削除した楽曲や転送（取得）に失敗した楽曲を容易に知ることできる。
【００７８】
なお、上述の場合と同様に、削除した楽曲のまとまりと転送に失敗した楽曲のまとまりとで、背景の色や背景の色の輝度を変えることにより、視覚的に分かり易く表示するようにしてもよい。
【００７９】
図４に戻って、リスト一覧６４ａのコンテンツが選択されると、図８に示すように、コンテンツ履歴のリストが表示される。このコンテンツ履歴のリストは、図３に示した全履歴のリストのコンテンツＩＤに基づいて作成され、コンテンツＩＤが同じ楽曲毎のまとまりで表示される。この実施例では、アルファベット順で楽曲毎の履歴を表示するようにしてある。ただし、これに限定される必要はなく、たとえば、あいうえお順や音楽データを管理装置１０で取得した日付（Ｎｏ）の早い（または遅い）順に、表示するようにしてもよい。
【００８０】
なお、コンテンツ履歴のリストでは、すべての楽曲についての履歴を表示するように示してあるが、楽曲Ｃは削除されているため、これは表示しないようにしてもよい。
【００８１】
このようなコンテンツ履歴のリストを表示することにより、楽曲をどこから取得し、どこに転送したかなど、楽曲のやり取りを簡単に知ることができる。
【００８２】
なお、上述したように、同じコンテンツＩＤの楽曲毎のまとまりで、背景の色や背景の色の輝度を変えるようにして、視覚的により分かり易くするようにしてもよい。
【００８３】
図４に戻って、上述したように、リスト一覧６４ａで全楽曲一覧が選択されると、図３に示した全履歴のリストに基づいて現在管理装置１０に存在する楽曲および管理装置１０に現在接続されているＰＤ２２に装着されたメモリカード３０に記録された楽曲が、ＰＣ楽曲データ一覧６４ｂおよびＰＤ楽曲データ一覧６４ｃのそれぞれに表示される。
【００８４】
なお、図４に示す、ＰＣ楽曲データ一覧６４ｂおよびＰＤ楽曲データ一覧６４ｃのＮｏは上述した全履歴のリストのＮｏとは何ら関係がなく、それぞれを表示する際にピックアップした順番を示すものである。また、上述したＰＤ２２のＥＥＰＲＯＭ４６に記録される再生リストは、ＰＤ楽曲データ一覧６４ｃに表示された内容と同様である。
【００８５】
ここで、ユーザがＰＣ楽曲データ一覧６４ｂから所望の楽曲を選択（指定）し、続いて、矢印アイコン６６ａをオン（クリック）すると、選択された楽曲の音楽データがＰＤ２２に転送される。また、ユーザがＰＤ楽曲データ一覧６４ｃから所望の楽曲を選択し、続いて、矢印アイコン６６ｂをオンすると、選択された楽曲の音楽データが管理装置１０に転送される（戻される）。
【００８６】
なお、この実施例では、１の楽曲を転送できるようにしてあるが、２以上の楽曲を一度に転送するようにしてもよい。
【００８７】
転送に成功すると、それに従って、ＰＣ楽曲データ一覧６４ｂおよびＰＤ楽曲データ一覧６４ｃの表示が変更される。しかし、転送に失敗すると、ＰＣ楽曲データ一覧６４ｂおよびＰＤ楽曲データ一覧６４ｄの表示はそのままである。
【００８８】
また、ＰＣ楽曲データ一覧６４ｂおよびＰＤ楽曲データ一覧６４ｃから所望の楽曲を選択し、キーボード等により、削除指示を入力すると、選択された楽曲がＰＣ（管理装置１０）或いはＰＤ２２から削除される。
【００８９】
このような操作の履歴が図３に示した全履歴のリストに随時反映（追加）され、上述したような様々なリストを表示することができるのである。
【００９０】
具体的には、管理装置１０は図９〜図１１に示すような処理を実行することにより、全履歴のリストを更新（追加）している。図９を参照して、管理装置１０は、ユーザが管理ソフトを起動し、ボタン６２ａ〜６２ｃを操作して、所望の音楽データの取得（ダウンロード）の指示を入力すると、ダウンロード等による履歴の追加処理を開始し、ステップＳ１で音楽データをインターネットすなわち配信サーバ１６から取得したかどうかを判断する。
【００９１】
ステップＳ１で“ＮＯ”であれば、つまりインターネットからのダウンロードを指示した音楽データでなければ、ステップＳ１３に進む。一方、ステップＳ１で“ＹＥＳ”であれば、つまりボタン６２ａを操作して取得を指示した音楽データであれば、インターネットからのダウンロードを指示した音楽データであると判断して、当該音楽データ（楽曲）の属性を検出する。具体的には、楽曲名（タイトル）、アーティスト名、Ｃｏｄｅｃなどが検出される。以下、この実施例において同じである。
【００９２】
次いで、ステップＳ５では、取得した属性を履歴に追加する。つまり、現在の全履歴の最後尾のＮｏの履歴が記述される次のＮｏの欄に、取得した属性をそれぞれ該当する欄（位置）に記述（追加）する。以下、この実施例において、同じである。続いて、ステップＳ７では、当該履歴に音楽データのダウンロードを指示した日時を追加する。そして、ステップＳ９でダウンロードを指示した音楽データにコンテンツＩＤを割り当て、ステップＳ１１で当該履歴にコンテンツＩＤを追加してからステップＳ３７に進む。
【００９３】
ステップＳ１３では、ＣＤ１８から楽曲をリッピングして取得することを指示したかどうかを判断する。ステップＳ１３で“ＮＯ”であれば、つまりＣＤ１８からの取得を指示した音楽データでなければ、そのままステップＳ２５に進む。一方、ステップＳ１３で“ＹＥＳ”であれば、つまりボタン６２ｂを操作して取得を指示した音楽データであれば、ＣＤ１８からの取得を指示した音楽データであると判断して、ステップＳ１５で当該音楽データの属性を検出する。
【００９４】
続くステップＳ１７では、検出した属性を履歴に追加し、ステップＳ１９ではＣＤ１８からの取得（リッピング）を指示した日時を履歴に追加する。そして、ステップＳ２１では、ＣＤ１８からの取得を指示した音楽データにコンテンツＩＤを割り当て、ステップＳ２３で当該履歴にコンテンツＩＤを追加してからステップＳ３７に進む。
【００９５】
ステップＳ２５では、ＨＤＤ２０からの取得を指示した音楽データであるかどうかを判断する。ステップＳ２５で“ＮＯ”であれば、つまりＨＤＤ２０からの取得を指示した音楽データでなければ、そのまま処理を終了する。一方、ステップＳ２５で“ＹＥＳ”であれば、つまりボタン６２ｃを操作して取得を指示した音楽データであれば、ＨＤＤ２０からの取得を指示した音楽データであると判断し、ステップＳ２７で当該音楽データの属性を検出する。
【００９６】
続くステップＳ２９では、検出した属性を履歴に追加し、ステップＳ３１ではＨＤＤ２２からの取得を指示した日時を当該履歴に追加する。そして、ステップＳ３３では、取得を指示した音楽データにコンテンツＩＤを割り当て、ステップＳ３５で当該履歴にコンテンツＩＤを追加してからステップＳ３７に進む。
【００９７】
ステップＳ３７では、音楽データの取得（ダウンロード）に成功したかどうかを判断する。ステップＳ３７で“ＹＥＳ”であれば、つまり音楽データの取得に成功すれば、ステップＳ３９で取得成功フラグを履歴に追加して処理を終了する。すなわち、当該履歴のＯＫの欄に“０ｘ０”を記述する。一方、ステップＳ３７で“ＮＯ”であれば、つまり音楽データの取得に失敗すれば、ステップＳ４１で取得失敗フラグを履歴に追加して処理を終了する。すなわち、当該履歴のＯＫの欄に“０ｘ１”を記述する。
【００９８】
また、当該管理ソフトが起動され、図４に示した操作画面６０が表示され、リスト一覧６４ａで全楽曲一覧が選択されている場合に、ＰＣ楽曲データ一覧６４ｂ或いはＰＤ楽曲データ一覧６４ｃで所望の楽曲が選択（指定）され、ボタン６６ａ或いはボタン６６ｂがオンされると、図１０に示すように、管理装置１０は転送による履歴の追加処理を開始し、ステップＳ５１でＰＤ２２への転送かどうかを判断する。
【００９９】
ステップＳ５１で“ＮＯ”であれば、つまりボタン６６ｂがオンされれば、ＰＤ２２からの転送であると判断して、図１１に示すステップＳ８１に進む。一方、ステップＳ５１で“ＹＥＳ”であれば、つまりボタン６６ａがオンされれば、ＰＤ２２への転送であると判断して、ステップＳ５１でＰＤ２２からメモリ（メモリカード３０）の空容量を取得する。具体的には、管理装置１０が直接メモリカード３０にアクセスして、空容量を取得する。或いは、管理装置１０がＰＤ２２のＣＰＵ３６に問い合わせて、メモリカード３０の空容量を取得するようにしてもよい。
【０１００】
続いて、ステップＳ５５では、メモリカード３０の空容量が十分かどうかを判断する。つまり、選択された楽曲の音楽データを記録できるか否かを判断する。ステップＳ５５で“ＮＯ”であれば、つまりメモリカード３０の空容量が不十分であれば、当該音楽データを記録できないと判断し、ステップＳ５７で警告メッセージまたは警告音或いはその両方を出力して、処理を終了する。
【０１０１】
一方、ステップＳ５５で“ＹＥＳ”であれば、つまりメモリカード３０の空容量が十分であれば、当該音楽データを記録できると判断し、ステップＳ５９で転送可能回数（ＴＳ）すなわち複製可能回数が０より大きいかどうかを判断する。ステップＳ５９で“ＮＯ”であれば、つまり当該音楽データ（楽曲）についての複製可能回数（ＴＳ）が０であれば、ステップＳ５７で警告メッセージまたは警告音或いはその両方を出力して、処理を終了する。
【０１０２】
しかし、ステップＳ５９で“ＹＥＳ”であれば、つまり当該楽曲の複製可能回数（ＴＳ）が１以上であれば、ステップＳ６１で当該楽曲の転送を開始し、ステップＳ６３で当該楽曲のコンテンツＩＤを図３に示した履歴から取得する。次にステップＳ６５で、履歴の最新情報を取得する。つまり、当該コンテンツＩＤが示す履歴の内、Ｎｏの数字が最大である履歴を取得する（読み出す）。続いて、ステップＳ６７では、履歴の最新情報にメモリＩＤの情報を追加する。具体的には、転送先のメモリＩＤすなわちメモリカード３０に割り当てられたメモリＩＤに現在のメモリＩＤを書き換える。そして、ステップＳ６９で全履歴を更新する。つまり、現在における全履歴の最後尾であるＮｏの次のＮｏの欄に今回の履歴を追加する。
【０１０３】
続くステップＳ７１では、当該楽曲すなわち音楽データの転送を成功したかどうかを判断する。ステップＳ７１で“ＮＯ”であれば、つまり音楽データの転送を失敗すれば、ステップＳ７３で転送失敗フラグすなわち“０ｘ１”を当該履歴のＯＫの欄に記述して、ステップＳ７９に進む。
【０１０４】
一方、ステップＳ７１で“ＹＥＳ”であれば、つまり音楽データの転送を成功すれば、ステップＳ７５で当該履歴の欄の複製可能回数（ＴＳ）を１減らす（ディクリメントする）。続いて、ステップＳ７７で転送成功フラグすなわち“０ｘ０”を当該履歴のＯＫの欄に記述して、ステップＳ７９に進む。
【０１０５】
ステップＳ７９では、ＰＣ（管理装置１０）→ＰＤ２２に対応する転送／削除フラグすなわち“０ｘ０１”を当該履歴に記述して、処理を終了する。
【０１０６】
図１１に示すように、ステップＳ８１では、選択された楽曲の転送を開始し、ステップＳ８３で当該楽曲のコンテンツＩＤを図３に示した履歴から取得する。次にステップＳ８５で、履歴の最新情報を取得する。つまり、当該コンテンツＩＤが示す履歴の内、Ｎｏの数字が最大である履歴を取得する（読み出す）。続いて、ステップＳ８７では、履歴の最新情報にメモリＩＤの情報を追加する。つまり、転送先のメモリＩＤすなわちメモリカード３０に割り当てられたメモリＩＤに現在のメモリＩＤを書き換える。そして、ステップＳ８９で履歴を更新する。つまり、現在における履歴の最後尾であるＮｏの次のＮｏの欄に今回の履歴を追加する。
【０１０７】
続くステップＳ９１では、当該楽曲すなわち音楽データの転送を成功したかどうかを判断する。ステップＳ９１で“ＮＯ”であれば、つまり音楽データの転送を失敗すれば、ステップＳ９３で転送失敗フラグすなわち“０ｘ１”を当該履歴のＯＫの欄に記述して、ステップＳ９９に進む。
【０１０８】
一方、ステップＳ９１で“ＹＥＳ”であれば、つまり音楽データの転送を成功すれば、ステップＳ９５で当該履歴の欄の複製可能回数（ＴＳ）を１増やす（インクリメントする）。続いて、ステップＳ９７で転送成功フラグすなわち“０ｘ０”を当該履歴のＯＫの欄に記述して、ステップＳ９９に進む。
【０１０９】
ステップＳ７９では、ＰＤ２２→ＰＣ（管理装置１０）に対応する転送／削除フラグすなわち“０ｘ０２”を当該履歴に記述して、図１０に示したように、処理を終了する。
【０１１０】
さらに、管理ソフトが起動され、図４に示した操作画面６０において所望の楽曲が選択され、削除指示が入力されると、図１２に示すように、管理装置１０は楽曲の削除についての履歴の追加処理を開始し、ステップＳ１１１で、選択された楽曲の音楽データの削除を開始する。
【０１１１】
続くステップＳ１１３では、当該楽曲のコンテンツＩＤを図３に示した履歴から取得する。次にステップＳ１１５で、履歴の最新情報を取得する。つまり、当該コンテンツＩＤが示す履歴の内、Ｎｏの数字が最大である履歴を取得する（読み出す）。続いて、ステップＳ１１７では、履歴の最新情報に含まれる保存先の内容を削除する。つまり、履歴の保存先の欄をブランクにする。そして、ステップ１１９で履歴を更新する。つまり、現在の履歴のＮｏの最後尾の次のＮｏを生成し、その欄に今回の履歴を追加する。
【０１１２】
続くステップＳ１２１では、当該楽曲すなわち音楽データの削除を終了したかどうかを判断する。ステップＳ１２１で“ＮＯ”であれば、つまり音楽データの削除を終了していなければ、そのまま同じステップＳ１２１に戻る。
【０１１３】
一方、ステップＳ１２１で“ＹＥＳ”であれば、つまり音楽データの削除を終了すれば、ステップＳ１２３で楽曲の削除に対応する転送／削除フラグすなわち“０ｘ０３”を当該履歴に記述して、処理を終了する。
【０１１４】
この実施例によれば、各音楽データについての複製可能回数を管理するので、同じ音楽データを複数所有する必要がない。つまり、記録媒体の容量を無駄に使用することがない。また、音楽データの取得、転送、削除についての履歴を全て残しておき、それを様々な方法で表示することができるので、音楽データを適切に管理することができ、しかも簡単である。
【０１１５】
なお、この実施例では、コンテンツデータとして音楽データについてのみ説明したが、これに限定されるべきでない。つまり、コンテンツデータには、画像（映像）データ、地図データ、文書データなど、著作権により保護された様々なデータが含まれる。このような画像（映像）データ、地図データ、文書データをＰＤ２２で再生する場合には、画像（映像）、地図、文書は、それぞれ、ディスプレイ４４に表示される。
【０１１６】
また、この実施例では、属性情報として、楽曲名（タイトル）、アーティスト名およびＣｏｄｅｃを検出するようにしたが、ダウンロードした音楽データについてはさらに有料／無料の情報を検出するようにしてもよい。この場合には、コンテンツを有料／無料で分類したリストを表示することができる。
【０１１７】
さらに、この実施例では、１人のユーザがＰＤやメモリカードを複数所有するような場合について説明したが、他のユーザのＰＤやメモリカードに音楽データを転送（貸し出し）できることは言うまでもない。かかる場合には、履歴データに含まれるメディアＩＤおよびＯＫに基づいて作成した転送履歴のリスト（図示せず）を表示して、他のユーザに音楽データを貸し出した日時を参照して当該音楽データの返却を依頼する（促す）ことが可能である。
【０１１８】
また、上述の実施例では、転送（複製）可能回数を直接インクリメント或いはディクリメントして、音楽データの転送が可能かどうかを判断するようにしたが、これに限定すべきでない。
【０１１９】
たとえば、図１３に示すように、転送（複製）可能回数（ＴＳ）はハードディスク１０ａに音楽データを取り込んだときのままで固定しておき、当該音楽データがＰＤ２２（メモリカード３０）に転送（放出）された放出回数と当該音楽データがＰＤ２２（メモリカード３０）から戻（返送）された返送回数との履歴を残しておく。
【０１２０】
なお、図面の都合上、図１３においては、一部を省略してあるが、省略してある部分については上述の実施例で示した図３と同じである。
【０１２１】
したがって、転送処理においては、音楽データの転送（放出）に先立って、当該音楽データについての放出回数および返送回数に基づいて当該音楽データの放出すなわち複製が可能であるかどうかを判断するようにしてある。具体的には、転送（放出）指示が与えられた音楽データについての最新の履歴から放出回数および返送回数を取得し、放出回数から返送回数を減算して結果（減算結果）が複製可能回数と一致するかどうかを判断する。つまり、このような判断処理が、図１０に示したステップＳ５７の処理と置き換えられるのである。
【０１２２】
そして、減算結果が複製可能回数と一致すれば、すなわち複製可能回数だけ音楽データを他の機器や記録メディアに転送していれば、音楽データを転送（複製）できない旨の警告メッセージ等を出力する（図１０のステップＳ５９）。一方、減算結果が複製可能回数と不一致であれば、つまり複製可能回数＞減算結果であれば、音楽データを他の機器や記録メディアに転送した回数が複製可能回数に満たないと判断して、音楽データを指示された機器や記録メディアに転送する（図１０のステップＳ６１）。
【０１２３】
また、上述したように、放出回数および返送回数の履歴に残すようにするため、図１０に示すステップＳ７５では、放出回数が１加算（インクメント）され、図１１に示すステップＳ９５では、返送回数が１加算される。
【０１２４】
ただし、上述の実施例と同様に、転送（放出や返送）に失敗した場合には、放出回数或いは返送回数は加算されない。
【０１２５】
このようにしても、複製可能回数に基づいて、音楽データの転送を適切に管理することができる。
【図面の簡単な説明】
【図１】この発明の一実施例を示す図解図である。
【図２】図１実施例に示すＰＤの電気的な構成を示すブロック図である。
【図３】図１実施例の管理装置で管理される履歴の一例を示す図解図である。
【図４】図１実施例の管理装置に記録されるコンテンツの追加、転送、削除等を実行するための操作画面を示す図解図である。
【図５】図１実施例の管理装置に接続されるディスプレイに表示される取込分類の管理表を示す図解図である。
【図６】図１実施例の管理装置に接続されるディスプレイに表示されるメディア分類の管理表を示す図解図である。
【図７】図１実施例の管理装置に接続されるディスプレイに表示される削除／失敗履歴の管理表を示す図解図である。
【図８】図１実施例の管理装置に接続されるディスプレイに表示されるコンテンツ履歴の管理表を示す図解図である。
【図９】図１実施例に示す管理装置の処理の一部を示すフロー図である。
【図１０】図１実施例に示す管理装置の処理の他の一部を示すフロー図である。
【図１１】図１実施例に示す管理装置の処理のその他の一部を示すフロー図である。
【図１２】図１実施例に示す管理装置の処理のさらに他の一部を示すフロー図である。
【図１３】図１実施例の管理装置で管理される履歴の他の一例を示す図解図である。
【符号の説明】
１０　…管理装置
１０ａ　…ハードディスク
１２，４４　…ディスプレイ
１６　…配信サーバ
１８　…ＣＤ
２０　…ＨＤＤ
２２　…ＰＤ
３０　…メモリカード
３６　…ＣＰＵ
４８　…ＤＳＰ
【図１】
2004127159.tif 000003
【図２】
2004127159.tif 000004
【図３】
2004127159.tif 000005
【図４】
2004127159.tif 000006
【図５】
2004127159.tif 000007
【図６】
2004127159.tif 000008
【図７】
2004127159.tif 000009
【図８】
2004127159.tif 000010
【図９】
2004127159.tif 000011
【図１０】
2004127159.tif 000012
【図１１】
2004127159.tif 000013
【図１２】
2004127159.tif 000014
【図１３】
2004127159.tif 000015